(57)【要約】【課題】  正しい歩行を行うことで、自然に膝関節や身体の姿勢が正しくなり、自然治癒力が増加することは広く知られている。本発明は、正しい姿勢での歩行がなされるのを補助する新規な歩行矯正器を提供する。【解決手段】  膝関節の上下に達する本体部１と、本体部と連結して上肢部及び下肢部に、それぞれ装着される装着バンド部２を備え、本体部に膝装着時に際して膝の屈曲力に対して膝屈曲方向に僅かに折曲する弾性を有せしめ、装着バンド部に前記本体部の折曲耐力よりも弱い反発力を有する伸縮体を組み込んでなり、上肢部及び下肢部に装着して歩行を行うと、膝関節の屈曲で上肢部及び下肢部共に膝頭を支点として上肢部及び下肢部が装着バンド部を引っ張り、膝の力を抜いて足を接地すると、足の踵から足先に順次接地する正しい歩行となる。【選択図】  図１
2005279153.tif 000002
【特許請求の範囲】
【請求項１】
膝関節の上下に達する本体部と、本体部と連結して上肢部及び下肢部に、それぞれ装着される装着バンド部を備え、本体部に膝装着時に際して膝屈曲力に対して膝屈曲方向に僅かに折曲する弾性を有せしめ、装着バンド部に前記本体部の折曲耐力よりも弱い反発力を有する伸縮体を組み込んでなることを特徴とする歩行矯正器。
【請求項２】
本体部を、膝後側が開口した伸縮性のサポータ状の筒状布体と、膝前側に設けられる板バネ体で形成した請求項１記載の歩行矯正器。
【請求項３】
本体部を、上肢部及び下肢部に当接する当て板と、当て板を連結する弾性板とで構成した請求項１記載の歩行矯正器。
【発明の詳細な説明】
【技術分野】
【０００１】
本発明は、正しい歩行が自然に身につき、歩行姿勢を原因とする疾患の自然治癒を目的とする歩行矯正器に関するものである。
【背景技術】
【０００２】
歩行時に膝に痛みを与えないように、膝関節の上下（上肢部と下肢部）に装着するサポーター状の器具は公知である。
【０００３】
例えば特開２００１−１２９００７号公報（特許文献１）には、サポーター主体の上下に、適宜な面状ファスナーを有する巻き付け用バンドを連設し、各人の痛み箇所に応じて膝への巻き付け形態を選択し、膝を固定する器具が開示されている。
【０００４】
また特開２００１−３４０３６７号公報（特許文献２）には、間接部分を保温するサポーター主体をゴムベルトで膝などに装着する器具が開示されている。
【０００５】
更に特開２００２−６５７１１号公報（特許文献３）には、伸縮自在な上下ベルトの間に膝の表面若しくは裏面を覆う伸縮性を有する中央部を備えた器具が開示されている。
【０００６】
【特許文献１】特開２００１−１２９００７号公報
【特許文献２】特開２００１−３４０３６７号公報
【特許文献１】特開２００２−６５７１１号公報
【発明の開示】
【発明が解決しようとする課題】
【０００７】
ところで前記した公知器具は、膝をある程度固定することで、膝の屈曲方向を規制し、膝に生ずる痛みを少しでも減ずることを目的としているにすぎない。膝関節の疾患の原因は種々考えられるが、例えばＯ脚のままでの歩行では、膝が曲がったままの状態で足裏の接地が正しくなされない。正しい歩行を行うことで、自然に膝関節や身体の姿勢が正しくなり、自然治癒力が増加することは広く知られている。
【０００８】
そこで本発明は、正しい姿勢での歩行がなされるのを補助する新規な歩行矯正器を提案したものである。
【課題を解決するための手段】
【０００９】
本発明に係る歩行矯正器は、膝関節の上下に達する本体部と、本体部と連結して上肢部及び下肢部に、それぞれ装着される装着バンド部を備え、本体部に膝装着時に際して膝の屈曲力に対して膝屈曲方向に僅かに折曲する弾性を有せしめ、装着バンド部に前記本体部の折曲耐力よりも弱い反発力を有する伸縮体を組み込んでなることを特徴とするものである。
【００１０】
前記器具の装着バンドを、上肢部及び下肢部に装着して歩行を行う際に、膝関節を曲げると本体部は僅かな折曲（略棒状態）であるので、装着バンド部が伸長する。即ち膝関節を屈曲すると、上肢部及び下肢部共に膝頭を支点として上肢部及び下肢部が装着バンド部を引っ張ることになり、この状態で脚を前方に運ぶが、足を接地する際には当然膝の力を抜くので、装着バンド部の伸長に対する反発力で膝関節がスムーズに真っ直ぐな状態となって接地すると、足の踵から足先に順次接地する正しい歩行となるものである。
【発明の効果】
【００１１】
本発明は以上の構成を採用したことで、膝に装着して歩行を行うと、膝関節の動作を補助することで正しい歩行姿勢となり、自然に身体姿勢のバランスが改善され、姿勢の不自然さに基づく疾患も解消されることになる。
【発明を実施するための最良の形態】
【００１２】
次に本発明の実施の形態について説明する。図１は本発明の第一実施形態であり、この実施形態は、本体部１と装着バンド部２で構成されており、本体部１は、伸縮性を有する筒布体１１と、バネ取付部１２と、板バネ体１３で形成される。
【００１３】
筒布体１１は、上肢部Ａを抱持する上肢抱持部１１１と下肢部Ｂを抱持する下肢抱持部１１２と、膝頭Ｃに対応する前面部１１３と、膝裏に対応する切欠部１１４からなり、歩行に支障がなく且つ装着時のずれを防止する程度の緩やかな伸縮性を有しているものである。また切欠部１１４の範囲は、膝の曲げ動作が充分に余裕をもって行われる形態とするものである。
【００１４】
バネ取付部１２は、前面部１１３とその上下の上肢抱持部１１１、下肢抱持部１１２の前面にわたって袋状に設けたものである。板バネ体１３は、前記バネ取付部１２に装着するもので、膝の急激な屈曲に対して対応でき、且つ通常の歩行に際しては、棒状を維持する程度の屈曲耐力を備えたものである。又前記のバネ取付部１２および板バネ体１３は、膝の屈曲方向（身体の歩行方向）において、上下肢の中心或いは中心に対して左右対称の位置に設けるものである。尚図示するとおり、膝と対応する部分を膨出させておくと、器具の装着感が良くなる。
【００１５】
装着バンド部２は、上肢抱持部１１１及び下肢抱持部１１２に連結した逢着部２１と、伸縮性を備えたゴムバンド部２２と、ゴムバンド部２２の端部に備えたファスナー部２３からなる。また図示していないが逢着部２１と反対側の上肢抱持部１１１、下肢抱持部１１２には、ファスナー部２３の装着部を設けてなる。
【００１６】
而して前記器具の筒布体１１を脚の所定位置に装着し、板バネ体１３を所定位置に装着、装着バンド部２を上肢部Ａ及び下肢部Ｂに巻き付けファスナー部２３を所定箇所に絡着させて器具をしっかりと装着する。
【００１７】
この状態で通常の歩行をなすもので、停止時（図２イ）若しくは歩行途中の踏み出し直前（図２ホ）から上肢部Ａを持ち上げて歩行を開始（図２ロ）し、膝をもっとも高く持ち上げた状態（図２ハ）では、板バネ体１３が固定棒として作用し、装着バンド部２のゴムバンド部２２が伸長する。
【００１８】
そして脚を下ろしながら膝の力を抜くと、装着バンド部２の収縮力で上肢部Ａ及び下肢部Ｂが真っ直ぐに伸び、足の踵から足先に順次接地する（図２ニ）することになり、正しい歩行が容易になされるものである。
【００１９】
本器具を使用して１日１５分以上歩行し、これを１〜２ヶ月継続した後、身体の姿勢について測定した結果は、使用前と使用後において、両肩の高さの差、両肩の前後の差に改善が見られ、膝幅が減少してＯ脚の改善が見られ、尻周りの数値が減少して、尻高および尻高の左右バランスが改善され所謂ヒップアップがなされたことが確認された。検査手段の詳細ならびに検査結果の詳細は、図２，３に表として示した。
【００２０】
また図５は、本発明の第二実施形態で、本体部３を当て板部３１ａ，３１ｂと、両者を連結する硬質の弾性板３２で構成し、止着バンド部４は、当て板部３１ａ，３１ｂに装着してなるものである。
【００２１】
而して当て版３１ａ，３１ｂを上肢部及び下肢部に当接し、伸縮性を有する止着バンド部４を上下肢部に巻き付け装着して歩行を行うと、前記第一実施形態の器具と同様に、正しい歩行に矯正するものである。
【００２２】
尚本発明において、膝位置に対応する個所に装着バンド部を設けても良く、この場合正しい膝位置に器具が正確に装着でき、而も使用時の器具のズレを防止することになる。
【図面の簡単な説明】
【００２３】
【図１】本発明の第一実施形態の全体斜視図。
【図２】同使用状態（歩行状態）の説明図。
【図３】同使用結果の検査方法の説明表。
【図４】同使用による身体状態測定結果表。
【図５】同第二実施形態の全体斜視図。
【符号の説明】
【００２４】
１          本体部
１１        筒布体
１１１        上肢抱持部
１１２        下肢抱持部
１１３        前面部
１１４        切欠部
１２        バネ取付部
１３        板バネ体
２          装着バンド部
２１        逢着部
２２        ゴムバンド部
２３        ファスナー部
３          本体部
３１ａ，３１ｂ  当て板部
３２        硬質弾性板
４          止着バンド部
【図１】
2005279153.tif 000003
【図２】
2005279153.tif 000004
【図３】
2005279153.tif 000005
【図４】
2005279153.tif 000006
【図５】
2005279153.tif 000007